(57)【要約】【課題】行先階ボタンの操作性を向上させることが可能なエレベータの行先操作盤を得る。【解決手段】この発明に係るエレベータの行先操作盤４は、エレベータの行先階ボタン１０を表示するタッチパネルディスプレイ５と、エレベータの運行状況に基づいて行先呼びの発生を予測する行先呼び発生数予測手段６と、この行先呼び発生数予測手段の予測結果に基づいて行先階ボタン１０の表示形態を決定する表示形態決定手段７とを備える。  これにより、エレベータの運行状況に基づいてエレベータの行先呼びの発生数を予測し、その結果に基づいて行先階ボタンの表示形態を適切に切換える。【選択図】図１
2005200145.tif 000002
【特許請求の範囲】
【請求項１】
エレベータの運行状況に基づいて行先呼びの発生数を予測する行先呼び発生数予測手段と、
この行先呼び発生数予測手段の予測結果に基づいて前記エレベータの行先階ボタンの表示形態を決定する表示形態決定手段と、
決定された表示形態の前記行先階ボタンを表示するタッチパネルディスプレイとを備えることを特徴とするエレベータの行先操作盤。
【請求項２】
前記行先呼び発生数予測手段は、前記エレベータかごに印加されている負荷の変動に基づいて、行先呼びの発生数を予測することを特徴とする請求項１に記載のエレベータの行先操作盤。
【請求項３】
前記行先呼び発生数予測手段は、選択されている前記エレベータの運転モードの種類に基づいて、行先呼びの発生数を予測することを特徴とする請求項１または２に記載のエレベータの行先操作盤。
【請求項４】
前記表示形態決定手段は、予測された前記行先呼びの発生数の値が規定値未満である場合には、行先階ボタンの表示形態を行先案内の表示を付加したものに決定し、
予測された前記行先呼びの発生数の値が前記規定値以上である場合には、行先階ボタンの表示形態を行先案内の表示を省略したものに決定すること特徴とする請求項１ないし３の何れか１項に記載のエレベータの行先操作盤。
【発明の詳細な説明】
【技術分野】
【０００１】
この発明は、エレベータのかごの行先階を登録するエレベータの行先操作盤に関するものである。
【背景技術】
【０００２】
タッチパネルを用いた従来のエレベータの行先操作盤には、案内情報が付加された行先階ボタンと所定の行先階ボタンを表示切換するための表示切換ボタンとを備えているものがある（例えば、特許文献１参照）。
【０００３】
【特許文献１】実開平５−１７７０号公報（第３−５頁、第１図）
【発明の開示】
【発明が解決しようとする課題】
【０００４】
しかし、上記従来のエレベータの行先操作盤によれば、行先階ボタンに案内情報が付加されていると表示スペースを必要とするため、高層ビル用のエレベータに設置された場合は必要な階床の行先階ボタンを全て表示できない。したがって、乗客が行先階を登録する際には、行先階ボタンとは別に設けられた表示切換ボタンを別途操作する必要があり、混雑時には表示切換ボタンの操作頻度が高くなり、操作が困難になるという問題点があった。
【０００５】
この発明は、上記のような問題点を解決することを課題とするものであって、行先階ボタンの操作性を向上させることが可能なエレベータの行先操作盤を得ることを目的とする。
【課題を解決するための手段】
【０００６】
この発明に係るエレベータの行先操作盤は、エレベータの運行状況に基づいて行先呼びの発生数を予測する行先呼び発生数予測手段と、この行先呼び発生数予測手段の予測結果に基づいてエレベータの行先階ボタンの表示形態を決定する表示形態決定手段と、決定された表示形態の行先階ボタンを表示するタッチパネルディスプレイとを備えることを特徴とする。
【発明の効果】
【０００７】
この発明に係るエレベータの行先操作盤によれば、エレベータの運行状況に基づいてエレベータの行先呼びの発生数を予測し、その結果に基づいて行先階ボタンの表示形態を適切に切換えるので、行先階ボタンの操作性を向上させることができる効果がある。
【発明を実施するための最良の形態】
【０００８】
以下、この発明の各実施の形態について図に基づいて説明するが、各図において、同一または相当部材、部位については同一符号を付して説明する。
【０００９】
実施の形態１．
この発明の実施の形態１のエレベータの行先操作盤について、図に基づいて説明する。図１は、この発明の実施の形態１によるエレベータの行先操作盤を備えたエレベータ装置を示すブロック図である。
【００１０】
図１に示すように、エレベータ装置は、かご内の負荷検出を行う負荷検出装置１ａを有するエレベータかご１と、このエレベータかご１の運行を制御するエレベータ制御装置２と、エレベータかご１の運転モードを選択してエレベータ制御装置２に指令を出す運転モード選択手段３と、エレベータかご１内に設けられエレベータかご１の行先階をエレベータ制御装置２に登録するためのエレベータの行先操作盤４とを備えている。
【００１１】
運転モード選択手段３は、予め設定された時間に通常の運転モードに換えて所定の運転モードを選択し、また、エレベータの交通量に応じて通常の運転モードに換えて所定の運転モードを選択するようになっている。
運転モードには、出勤時運転、昼食時運転、退勤時運転や会議室サービスなどがあり、適切なエレベータの運行速度やドアの開閉時間等がそれぞれ設定されている。
エレベータ制御装置２は、この選択された運転モードで規定されたエレベータの運転制御を行うようになっている。
【００１２】
この発明の実施の形態１に係るエレベータの行先操作盤４は、エレベータの行先階ボタンを表示するタッチパネルディスプレイ５と、このエレベータの運行状況に基づいて行先呼びの発生を予測する行先呼び発生数予測手段６と、この予測結果に基づいて行先階ボタンの表示形態を決定する表示形態決定手段７と、この表示形態決定手段７が決定した表示形態の行先階ボタンをタッチパネルディスプレイ５に表示させる行先階ボタン表示手段８と、タッチパネルディスプレイ５の操作により入力された行先階をエレベータ制御装置２に登録する信号を出力する行先階検出手段９とを備えている。
【００１３】
タッチパネルディスプレイ５は、行先階ボタン表示手段８の出力信号に基づいてこのタッチパネルディスプレイ５の画像表示を制御する表示制御部５ａと、タッチパネル部の操作を検出し行先階検出手段９に信号を出力するタッチパネル制御部５ｂとを備えている。
【００１４】
行先呼び発生数予測手段６は、負荷検出装置１ａで検出されエレベータ制御装置２を介して入力される負荷の変動情報や、運転モード選択手段３から入力される選択されている運転モードの情報に基づいて、行先呼びの発生数を予測するようになっている。
【００１５】
行先階ボタン表示手段８は、エレベータ制御装置２から行先階ボタン表示の切換指令を受けて、表示制御部５ａに画像表示を制御する信号を出力するようになっている。
【００１６】
行先階検出手段９は、この行先ボタン表示手段８の表示形態に関する出力信号とタッチパネルディスプレイ５の操作位置に関する出力信号とに基づいて、パネルディスプレイ５に表示された行先階ボタンの操作状態を検出するようになっている。
【００１７】
図２及び図３は、図１のタッチパネルディスプレイ５の行先階ボタン表示の一例を示す図である。
図２において、タッチパネルディスプレイ５には、案内表示が付加された行先階ボタンとこの行先階ボタン１０を切換えるための表示切換ボタン１１ａ、１１ｂとが表示されている。
図３において、タッチパネルディスプレイ５には、案内表示と表示切換ボタン１１ａ、１１ｂとが省略されており、その分全階床の行先階ボタン１０が表示されている。
【００１８】
次に、上記構成のエレベータの行先操作盤４の動作について説明する。
図４は、図１の行先呼び発生数予測手段により行先呼びの発生数を予測した場合に行先ボタン表示形態を決定する方法を示すフローチャートである。
【００１９】
まず、行先呼び発生数予測手段６により、エレベータの運行状況に基づいて行先呼びの発生数が予測される（ステップＳ１）。
【００２０】
表示形態決定手段７は、この予測された行先呼びの発生数が「多い」か「少ない」かを確認する（ステップＳ２）。ここで、「多い」とは、予想されたエレベータの行先呼び発生数の値が規定値Ｘ以上であること示す。また、「少ない」とは、予想されたエレベータの行先呼び発生数の値が規定値Ｘ未満であること示す。この規定値Ｘは、行先呼び発生数の大小を判断するために予め設定された値である。
【００２１】
この予測された行先呼びの発生数が「少ない」ことを確認すると、表示形態決定手段７は、行先階ボタン１０の表示形態を図２に示す行先案内を付加したものに決定する（ステップＳ３）。
【００２２】
また、予測された行先呼びの発生数が「多い」ことを確認すると、表示形態決定手段７は、行先階ボタン１０の表示形態を図３に示す行先案内を省略したものに決定する（ステップＳ４）。
【００２３】
以上のようにして決定された表示形態に基づいて、エレベータの行先操作盤４は、タッチパネルディスプレイ５に行先階表示ボタンを表示する。
【００２４】
この実施の形態１のエレベータの行先操作盤４によれば、エレベータの運行状況に基づいて行先呼びの発生数を予測し、この予測結果に基づいて行先階ボタン１０の表示形態を決定するので、運行状況に応じて適切な行先階ボタン１０をタッチパネルディスプレイ５に表示することができ、混雑時において行先階ボタン１０の操作性を向上することができる。
さらに、行先呼びの発生数が「多い」、すなわち行先階ボタン１０の操作頻度が高いと予測した場合は、行先案内および表示切換ボタン１１ａ、１１ｂの表示を省略して全階床の行先階ボタン１０を表示し、表示切換ボタン１１ａ、１１ｂの操作を省いて行先階ボタン１０を直接操作するようにしたので、混雑時において行先階ボタン１０の操作性を向上することができる。
【００２５】
なお、上記実施の形態１では、行先呼びの発生数が「多い」と予測した場合は、行先案内および表示切換ボタン１１ａ、１１ｂの表示を省略したが、行先案内の表示、表示切換ボタン１１ａ、１１ｂの表示の何れか一方のみを省略してもよい。
【００２６】
実施の形態２．
次に、この発明の実施の形態２のエレベータの行先操作盤の行先呼び発生数の予測方法について、図に基づいて説明する。図５は、図４のステップＳ１に対応する行先呼び発生数を予測する方法を示すフローチャートである。
【００２７】
この実施の形態では、行先呼び発生数予測手段６が、負荷検出装置１ａで検出されエレベータ制御装置２を介して入力される負荷の変動情報に基づいて行先呼び発生数を予測するものである。
【００２８】
先ず、行先呼び発生数予測手段６により、負荷検出装置１ａで検出された負荷の変動情報であるかご負荷の増加量と規定値Ｗ１とが比較され、かご負荷の増加量が規定値Ｗ１以上か未満かが確認される（ステップＳ５）。この規定値Ｗ１は、行先呼び発生数を予測するために予め設定された値である。
【００２９】
かご負荷の増加量が規定値Ｗ１以上である場合には、行先呼び発生数予測手段６は、行先呼び発生数の値が規定値Ｘ以上、すなわち、行先呼び発生数が「多い」と予測する（ステップＳ６）。
【００３０】
かご負荷の増加量が規定値Ｗ１未満である場合には、行先呼び発生数予測手段６は、行先呼び発生数の値が規定値Ｘ未満、すなわち、行先呼び発生数が「少ない」と予測する（ステップＳ７）。
【００３１】
以上の行先呼び発生数の予測結果を、行先呼び発生数予測手段６は表示形態決定手段７に出力する。
【００３２】
この実施の形態に係るエレベータの行先操作盤によれば、行先呼び発生数をかご負荷の増加量に基づいて予測するので、エレベータの実際の利用状況に応じた行先階ボタン１０を表示することができ、混雑時において行先階ボタン１０の操作性を向上することができる。
【００３３】
実施の形態３．
次に、この発明の実施の形態３のエレベータの行先操作盤の行先呼び発生数の予測方法について、図に基づいて説明する。図６は、図４のステップＳ１に対応する行先呼び発生数を予測する方法を示すフローチャートである。
【００３４】
この実施の形態では、行先呼び発生数予測手段６が、運転モード選択手段３から入力される運転モードの種類に基づいて行先呼び発生数を予測するものである。
【００３５】
先ず、行先呼び発生数予測手段６により、エレベータが出勤時運転の運転モードが選択されているかが確認される（ステップＳ８）。
【００３６】
出勤時運転の運転モードが選択されている場合には、行先呼び発生数予測手段６は、行先呼び発生数の値が規定値Ｘ以上、すなわち、行先呼び発生数が「多い」と予測する（ステップＳ９）。このように、出勤時運転の運転モードが選択されている場合は、利用客は通常より多くなるとの前提のもとに行先呼び発生数も多くなると予測するものである。
【００３７】
出勤時運転の運転モードが非選択である場合には、行先呼び発生数予測手段６は、行先呼び発生数の値が規定値Ｘ未満、すなわち、行先呼び発生数が「少ない」と予測する（ステップＳ１０）。
【００３８】
以上の行先呼び発生数の予測結果を、行先呼び発生数予測手段６は表示形態決定手段７に出力する。
【００３９】
この実施の形態に係るエレベータの行先操作盤によれば、行先呼び発生数をエレベータの運行モードに基づいて予測するので、エレベータの運行モードに応じた行先階ボタン１０を表示することができ、混雑時において行先階ボタン１０の操作性を向上することができる。
【００４０】
なお、上記実施の形態３では、出勤時運転の運転モードの選択の有無で行先呼び発生数を予測したが、出勤時運転、昼食時運転、退勤時運転や会議室サービスなどの他の運転モードの選択の有無に基づいて行先呼び発生数を予測してもよい。
また、複数の運転モードの選択の有無に基づいて行先呼び発生数を予測してもよい。
【００４１】
また、上記各実施の形態では、エレベータの行先操作盤４は、エレベータかご１内に設けられていたが、エレベータの乗場に設けられていてもよい。
【図面の簡単な説明】
【００４２】
【図１】この発明の実施の形態１によるエレベータの行先操作盤を含むエレベータ装置を示すブロック図である。
【図２】図１のタッチパネルディスプレイの行先階ボタン表示の一例を示す図である。
【図３】図１のタッチパネルディスプレイの行先階ボタン表示の一例を示す図である。
【図４】図１の行先呼び発生数予測手段により行先呼びの発生数を予測した場合に行先ボタン表示形態を決定する方法の一例を示すフローチャートである。
【図５】図４のステップＳ１に対応する行先呼び発生数を予測する方法を示すフローチャートである。
【図６】図４のステップＳ１に対応する行先呼び発生数を予測する方法を示すフローチャートである。
【符号の説明】
【００４３】
１  エレベータかご、１ａ  負荷検出装置、２  エレベータ制御装置、３  付加運転選択手段、４  エレベータの操作盤、５  タッチパネルディスプレイ、６  行先呼び発生数予測手段、７  行先ボタン表示形態決定手段、８  行先ボタン表示手段、９  行先階検出手段、１０  行先階ボタン。
【図１】
2005200145.tif 000003
【図２】
2005200145.tif 000004
【図３】
2005200145.tif 000005
【図４】
2005200145.tif 000006
【図５】
2005200145.tif 000007
【図６】
2005200145.tif 000008